(57)【要約】  本発明による携帯機器ケースは、携帯機器の画面部を保護する前面カバーと、前記前面カバーに連結されて携帯機器の背面を保護し、携帯機器が取り付けられる固定板が形成された背面カバーとを備え、前記固定板は、背面カバーにヒンジによって回転自在に結合され、背面カバー部に角度調節部が設けられることで前記固定板の回転角を調整する角度調節部が形成される。【選択図】図１
2017507622.tif 000002
【特許請求の範囲】
【請求項１】
携帯機器の画面部を保護する前面カバーと、
前記前面カバーに連結されて携帯機器の背面を保護する背面カバーと、
前記背面カバーに結合されて携帯機器が取り付けられる固定板と、を備え、
前記固定板は、前記背面カバーにヒンジにより回転自在に結合されて回転角を調整できることを特徴とする携帯機器ケース。
【請求項２】
前記背面カバーには、前記固定板の回転角を調整する角度調節部を備えることを特徴とする請求項１に記載の携帯機器ケース。
【請求項３】
前記角度調節部は、
前記背面カバーに形成され、固定板が回転する軌跡に沿って配列された複数個の磁石と、
前記固定板に形成され、前記複数個の磁石に磁着する磁着部材と、を備えることを特徴とする請求項２に記載の携帯機器ケース。
【請求項４】
前記角度調節部は、
前記背面カバーに弧形のガイド溝が形成され、
前記固定板には前記ガイド溝に挿入されるガイド部材が形成されることを特徴とする請求項２に記載の携帯機器ケース。
【請求項５】
前記前面カバーまたは背面カバーのうち、いずれか一つにカードの収納部が形成されることを特徴とする請求項１に記載の携帯機器ケース。
【請求項６】
前記背面カバーにおいてヒンジが形成された部分には、外側に折れ曲がる折曲部が形成されることを特徴とする請求項１に記載の携帯機器ケース。
【発明の詳細な説明】
【技術分野】
【０００１】
本発明は、携帯機器ケースに係り、さらに詳しくは、携帯機器の背面を自由に使うことができ、携帯機器のスタンド機能がある携帯機器ケースに関する。
【背景技術】
【０００２】
近来、最も一般的に使われている携帯機器のうちの一つはスマートフォンである。このスマートフォンは高価な商品として、破損を防止するための外部ケースを装着して使われている。
【０００３】
このような外部ケースに係る技術として、韓国公開実用新案第２０−２０１３−０００３７３８号（２０１３年６月２６日公開）「携帯電話ケース」が開示されている。
【０００４】
先行文献は、外側カバーと内側カバーがそれぞれ重なってなる保護カバーの内部に、前記保護カバーを支持する補強板が両側にそれぞれ結合されると共に、前記保護カバーの中央に形成された折曲部を中心に上部蓋部と下部蓋部に分けて携帯電話を固定可能なように構成し、前記携帯電話を覆ったり、開放させたりする携帯電話ケースにおいて、前記下部蓋部側に結合される補強板の上、下部のどちらか一方には、携帯電話を前記保護カバー上に固定させる固定部材が結合されるための結合部を備えるものであった。
【０００５】
一方、スマートフォンまたは携帯電話等の携帯機器は様々な種類が市販されており、種類に応じてカメラの位置が異なるため、これを適用できるように、携帯機器の機種に適合するように製作された携帯電話ケースを選ばなければならない。
【０００６】
携帯電話ケースは機種に合ったものを選択することで、カメラに対応するホールの位置が一致して撮影が可能になるからだ。
【０００７】
したがって、携帯機器を変更すれば、新たに携帯電話ケースを購入しなければならないため、費用の負担が増加する問題点があり、併せてごみを増やすことになるという問題点があった。
【先行技術文献】
【特許文献】
【０００８】
【特許文献１】韓国公開実用新案第２０−２０１３−０００３７３８号公報
【発明の概要】
【発明が解決しようとする課題】
【０００９】
本発明は、上述した問題点を解決して改善しようとするものであり、その課題は、携帯機器の機種に限定されず、すべての機種に適用することができ、且つカメラが隠れないようすることで互換性を向上でき、携帯機器を付着する固定板を背面カバーにリベット結合させることで、高周波接合工程を省略できると共に、依然として支持機能は提供できることから、製造工程を減らすことができ、生産性を向上させることができる携帯機器ケースを提供することである。
【課題を解決するための手段】
【００１０】
本発明は、携帯機器の画面部を保護する前面カバーと、前記前面カバーに連結されて携帯機器の背面を保護し、携帯機器が取り付けられる固定板がヒンジにより回転自在に結合された背面カバーと、を備えることを特徴とする携帯機器ケースによって達成される。
【００１１】
本発明の好ましい特徴によれば、前記背面カバーには前記固定板の回転角を調整する角度調節部が形成される。
【００１２】
本発明の好ましい特徴によれば、前記角度調節部は、前記背面カバーに複数個の磁石が配列され、固定板に前記複数個の磁石に磁力で脱着する磁着部材が備えられる。
【００１３】
本発明の好ましい特徴によれば、前記角度調節部は、前記背面カバーに弧形のガイド溝が形成され、前記固定板には前記ガイド溝に挿入されるガイド部材が形成される。
【００１４】
本発明の好ましい特徴によれば、前記前面カバーまたは背面カバーのうち、いずれか一つにはカード収納部が形成される。
【００１５】
本発明の好ましい特徴によれば、前記背面カバーにおいてヒンジが形成された部分には、外側に折れ曲がる折曲部が形成される。
【発明の効果】
【００１６】
本発明は、携帯機器ケースで携帯機器が固着される固定板が回転自在なことから、携帯機器がケースに固着された状態で携帯機器の背面の機能を使うことができるため便利であり、ケースに貫通孔を設けなくても、携帯機器の背面を使うことができることから、ケースの見栄えがよく、背面カバーの一部を折り曲げて携帯機器を立てて置くことができるため、携帯機器使用における便宜性を高める効果がある。
【図面の簡単な説明】
【００１７】
【図１】本発明の一実施形態による携帯機器ケースの斜視図である。
【図２】本発明の一実施形態による携帯機器ケースで固定板の作動状態を示した図である。
【図３】本発明の一実施形態による携帯機器ケースで固定板の作動状態を示した背面図である。
【図４】本発明の一実施形態による携帯機器ケースで折曲部の作動状態を示した斜視図である。
【図５】本発明の一実施形態による携帯機器ケースで固定板の作動状態を示した図である。
【図６】本発明の一実施形態による携帯機器ケースで角度調節部の作動状態を示した斜視図である。
【発明を実施するための形態】
【００１８】
以下、本発明の好ましい実施形態を添付した図面を基に詳細に説明すると次のとおりである。
【００１９】
これは、本発明が属する技術分野で通常の知識を有する者が発明を容易に実施できる程度に詳細に説明するためのものであり、これによって本発明の技術的な思想や範疇が限定されることを意味するものではない。
【００２０】
また、図に示した構成要素の大きさや形状等は、説明の明瞭性と便宜上、誇張して図示していると言える共に、本発明の構成及び作用を考慮して特に定義された用語は使用者、運用者の意図または慣例によって異なることがあり、これらの用語の定義については、本明細書全般にわたる内容に基づいてなされなければならない。
【００２１】
添付の図面の中で、図１は本発明の一実施形態による携帯機器ケースの斜視図であり、図２は本発明の一実施形態による携帯機器ケースで固定板の作動状態を示した図であり、図３は本発明の一実施形態による携帯機器ケースで固定板の作動状態を示した背面図であり、図４は本発明の一実施形態による携帯機器ケースで折曲部の作動状態を示した斜視図であり、図５は本発明の一実施形態による携帯機器ケースで固定板の作動状態を示した図であり、図６は本発明の一実施形態による携帯機器ケースで角度調節部の作動状態を示した斜視図である。
【００２２】
本発明による携帯機器ケース１０は、携帯機器Ｍの画面部を保護する前面カバー１００と、前記前面カバー１００に連結されて携帯機器Ｍの背面を保護する背面カバー２００と、前記背面カバー２００に結合されて携帯機器Ｍが取り付けられる固定板２１０と、を備える。
【００２３】
固定板２１０は、背面カバー２００にヒンジ２０２で回転自在に結合され、前記背面カバー２００には角度調節部２２０が形成されることにより前記固定板２１０の回転角を調整することができる。
【００２４】
図１に示すように、前面カバー１００と背面カバー２００はそれぞれ携帯機器Ｍの画面部と背面を保護するものであり、手帳のように閉じたり開いたりできるため、携帯機器Ｍを保管する時は前面カバー１００を閉じて携帯機器Ｍの画面部を保護し、携帯機器Ｍの使用時には前面カバー１００を開いて携帯機器Ｍの画面部を操作することになる。
【００２５】
背面カバー２００には携帯機器Ｍを取り付けるための固定板２１０が設けられる。
【００２６】
固定板２１０は、背面カバー２００の内側面に形成され、その大きさや形は多様に形成されるが、携帯機器Ｍの背面に設けられたカメラや背面ボタン等の機能が隠れないように携帯機器Ｍの背面の高さの１／２ないし２／３程度の高さで形成することが好ましい。
【００２７】
固定板２１０には携帯機器Ｍを固定板２１０に取り付けるための固定部材２１２が形成される。
【００２８】
固定部材２１２は、様々な形態で形成されるが、本発明の一実施形態によれば、粘着面が形成されることにより携帯機器Ｍの背面を付着することができる。
【００２９】
一方、図２ないし図３に示すように、固定板２１０と背面カバー２００はヒンジ２０２によって連結されて回転自在に結合される。
【００３０】
ヒンジ２０２は、固定板２１０と背面カバー２００の下端の一側に結合されるリベットであり、ヒンジ２０２を中心に固定板２１０が回転する。
【００３１】
固定板２１０が回転しながら固定板２１０に取り付けられた携帯機器Ｍも一緒に回転することにより、携帯機器Ｍの背面が背面カバー２００の外側に露出するため、カメラを利用した撮影が可能である。
【００３２】
一方、固定板２１０の回転角を調節するために、角度調節部２２０が備えられる。
【００３３】
角度調節部２２０の一実施形態では、背面カバー２００において固定板２１０が回転する軌跡に沿って複数個の磁石２２２ａ、２２２ｂが一定間隔で配列される。
【００３４】
複数個の磁石２２２ａ、２２２ｂに磁着できるように固定板２１０には極性が異なる磁石または鉄板のような磁着部材２２２ｃが形成される。
【００３５】
つまり、背面カバー２００に固定板２１０の動く経路に沿って円形の内側の磁石２２２ａと外側の磁石２２２ｂがそれぞれ配列され、固定板２１０において前記の内側の磁石２２２ａに対応する位置に磁着部材２２２ｃが形成される。
【００３６】
内側の磁石２２２ａと磁着部材２２２ｃとが磁着すると、固定板２１０は背面カバー２００の内側に位置し、携帯機器Ｍが背面カバー２００の内側に収納されて保護される。
【００３７】
一方、固定板２１０を背面カバー２００の外側に回転させて外側の磁石２２２ｂと磁着部材２２２ｃが磁着すると、携帯機器Ｍの背面が背面カバー２００の外部に露出し、カメラが露出することになる。
【００３８】
また、図示していないが、角度調節部２２０はベルクロファスナーやスナップファスナーのように脱着が可能な部材で代替することができる。
【００３９】
一方、角度調節部２２０の他の実施形態は、図５に示すように、前記背面カバー２００に固定板２１０が回転する経路に沿った弧形のガイド溝２２４ａが形成され、固定板２１０には前記ガイド溝２２４ａに挿入されるガイド部材２２４ｂが形成されて前記ガイド溝２２４ａに挿入される。
【００４０】
したがって、前記ガイド溝２２４ａに沿って前記ガイド部材２２４ｂが動き、前記ガイド溝２２４ａの角度分だけ固定板２１０の回転角が制限される。前記ガイド部材２２４ｂは、前記ガイド溝２２４ａに脱着自在な様々な形で形成されるが、本発明の一実施形態によると、図６に示すように、ガイド部材２２４ｂはスナップボタンの形態で、ガイド溝２２４ａに係合されて移動する雌スナップボタンと固定板に結合される雄スナップボタンとから形成される。
【００４１】
一般的に使用されている携帯機器ケースは、携帯機器の背面に設けられた機能を使用するために貫通孔が設けられるが、携帯機器は背面に配設されたカメラ等の機能の位置が機種ごとにそれぞれ異なるため、携帯機器ケースに形成された貫通孔もまた機種別に異なる他ないことから、携帯機器ケースを機種別にそれぞれ生産するしかなかった。また、携帯機器の中で不人気モデルの場合、販売量の不振を懸念して生産自体を行わないことが多いため、不人気の携帯機器を持つ使用者は携帯機器ケースを使用できないことが現実である。
【００４２】
しかし、本発明の一実施形態によれば、図３に示すように、前記固定板２１０が回転して携帯機器Ｍの背面が露出することによって、背面に配設されたカメラを使用できるため、携帯機器Ｍの機種に関係なく、携帯機器ケース１０を適用でき、すべての携帯機器の機種に対応できるユニバーサルモデルとしての使用が可能である。
【００４３】
併せて、携帯機器Ｍの背面機能を使用するための貫通孔が形成されなくてもよいため、前記貫通孔を介して流入する埃や異物、湿気から携帯機器の背面を保護できる効果がある。
【００４４】
背面カバー２００には前記固定板２１０に取り付けられた携帯機器Ｍを立てて置くことができるように折曲部２３０が形成される。
【００４５】
折曲部２３０は、図３に示すように、前記背面カバー２００を畳むと、前記ヒンジ２０２が外側に露出するように背面カバー２００の下部の一側に傾斜形成される。
【００４６】
図４に示すように、折曲部２３０を外側に折り曲げると、ヒンジ２０２が外側に露出し、ヒンジ２０２に結合された固定板２１０は、背面カバー２００から離脱し、ヒンジ２０２を基準に固定板２１０と背面カバー２００が対向する傾斜を成すことになる。
【００４７】
したがって固定板２１０と背面カバー２００は、互いに押し合う力によって立つことになるため、固定板２１０に取り付けられた携帯機器Ｍを立てて置くことができる。
【００４８】
図１に示すように、前面カバー１００または背面カバー２００のうち、いずれか一つにカード収納部１１０が形成されることができるが、本発明の一実施形態によると、前面カバー１００の内側面にカード収納部１１０が形成される。
【００４９】
前記したとおり、本発明による携帯機器ケース１０は、固定板２１０を回転させて携帯機器Ｍの背面を使用できるため、背面カバー２００には携帯機器Ｍの背面に設けられた機能を使用するための貫通孔を形成しなくてもよいことから、前記貫通孔を介して流入する埃や水分から携帯機器を保護することができ、角度調節部２２０を形成して固定板２１０の回転角を調整し、前記背面カバー２００を折り曲げることができる折曲部２３０が形成されることから前記折曲部２３０を折り曲げると、前記背面カバー２００と固定板２１０が対向するように傾斜面を成してヒンジ２０２を中心に立つことによって固定板２１０に取り付けられた携帯機器を立てて置くことできる。
【産業上の利用可能性】
【００５０】
本発明に係る一実施例は、携帯機器のケースに使用することができる。
【符号の説明】
【００５１】
１０    携帯機器ケース
１００  前面カバー
１１０  カード収納部
２００  背面カバー
２０２  ヒンジ
２１０  固定板
２１２  固定部材
２２０  角度調節部
２２２ａ、２２２ｂ  磁石
２２２ｃ  磁着部材
２２４ａ  ガイド溝
２２４ｂ  ガイド部材
【図１】
2017507622.tif 000003
【図２】
2017507622.tif 000004
【図３】
2017507622.tif 000005
【図４】
2017507622.tif 000006
【図５】
2017507622.tif 000007
【図６】
2017507622.tif 000008
【国際調査報告】
2017507622.tif 000009
2017507622.tif 000010
2017507622.tif 000011
2017507622.tif 000012